(57)【要約】      （修正有）【課題】表示装置に表示されたカーソルを容易に移動させ、利用者の操作性を向上させることができる。【解決手段】所定情報のいずれかを指定するためのカーソルを表示する表示装置５００と、所定情報を入力可能にするキーを複数備える操作装置４００とを備える。操作装置４００は、操作装置４００の移動に応じてカーソルを移動させるためのカーソル移動指示を生成する操作制御部４０４と、操作制御部４０４により生成されたカーソル移動指示を送信する通信部４０７とを備る。表示装置５００は、通信部４０７により送信されたカーソル移動指示に応じてカーソルを移動させる。【選択図】図４
2006277358.tif 000002
【特許請求の範囲】
【請求項１】
所定情報のいずれかを指定するためのカーソルを表示する表示装置と、前記所定情報の入力を促すキーを複数備える操作装置とを備える携帯電話機であって、
前記表示装置と前記操作装置とは着脱可能に構成されており、
前記操作装置は、
前記操作装置の移動に応じて前記カーソルを移動させるためのカーソル移動指示を生成する生成部と、
前記生成部により生成された前記カーソル移動指示を送信する送信部とを備え、
前記表示装置は、前記送信部により送信された前記カーソル移動指示に応じて前記カーソルを移動させることを特徴とする携帯電話機。
【請求項２】
前記送信部は、前記生成部により生成された前記カーソル移動指示を無線により送信することを特徴とする請求項１に記載の携帯電話機。
【請求項３】
前記操作装置は、前記携帯電話機の利用者の音声を取得する取得部と、他の携帯電話機の利用者の音声を出力する出力部とを備えることを特徴とする請求項１に記載の携帯電話機。
【請求項４】
前記操作装置は、該操作装置の一面に前記キーを複数備えており、該操作装置の一面と向い合う面の外面に被写体を撮影するカメラを備えており、
前記生成部は、前記カメラにより撮影された前記被写体の移動に応じて前記カーソルを移動させるための前記カーソル移動指示を生成することを特徴とする請求項１に記載の携帯電話機。
【発明の詳細な説明】
【技術分野】
【０００１】
本発明は、所定情報のいずれかを指定するためのカーソルを表示する表示装置と、所定情報の入力を促すキーを複数備える操作装置とを備える携帯電話機に関する。
【背景技術】
【０００２】
従来からの携帯電話機は、表示装置と操作装置とを備えている。表示装置は、文字又は記号を含む文字情報を表示するとともに、該文字情報のいずれかを指定するカーソルも表示している（例えば、特許文献１参照）。操作装置は、文字情報などの入力操作を受け付けたり、利用者の入力操作に応じて表示装置に表示されたカーソルを移動させている。
【０００３】
図１０は、操作装置におけるキーの配列を示す図である。図１０に示すように、基準となるキー（ここでは「５」のキー；以下では基準キーと称する）が予め設定されており、基準キーを中心としてそれ以外のキーが操作されることにより、上下、左右、右上、左上、右下、左下の方向へ画面上のカーソルが移動する。
【特許文献１】特開2000-165532号公報
【発明の開示】
【発明が解決しようとする課題】
【０００４】
しかしながら、表示装置と操作装置とが一体に構成されているため、携帯電話機の利用者は、操作装置を介して表示装置に表示されたカーソルを移動させ難いことがあった。具体的には、利用者は、片手で携帯電話機を保持し、その片手で十字キー又は特定のキーを押すこと（又は連続して特定のキーを押すこと、特定のキーを長く押すことなど）の操作をしなければならず、所望のメニューなどを選択し難いことがあった。
【０００５】
そこで、本発明は以上の点に鑑みて成されたものであり、表示装置に表示されたカーソルを容易に移動させ、利用者の操作性を向上させることができる携帯電話機を提供することを目的とする。
【課題を解決するための手段】
【０００６】
本発明は、上記課題を解決するために、所定情報のいずれかを指定するためのカーソルを表示する表示装置と、所定情報の入力を促すキーを複数備える操作装置とを備える携帯電話機であって、表示装置と操作装置とは着脱可能に構成されており、操作装置は、操作装置の移動に応じてカーソルを移動させるためのカーソル移動指示を生成する生成部と、生成部により生成されたカーソル移動指示を送信する送信部とを備え、表示装置は、送信部により送信されたカーソル移動指示に応じてカーソルを移動させることを特徴とする。
【０００７】
このような本発明によれば、操作装置と表示装置とが分離された状態で、操作装置が移動されることに伴ない、表示装置に表示されたカーソルも移動するため、利用者は、操作装置を介して表示装置に表示されたカーソルを容易に移動させることができ、特定のキーを押すことによりカーソルを移動させる煩わしさを解消することができる。
【０００８】
上記発明においては、送信部は、生成部により生成されたカーソル移動指示を無線により送信してもよい。
【０００９】
上記発明においては、操作装置は、携帯電話機の利用者の音声を取得する取得部と、他の携帯電話機の利用者の音声を出力する出力部とを備えてもよい。
【００１０】
上記発明においては、操作装置は、操作装置の一面にキーを複数備えており、操作装置の一面と向い合う面の外面に被写体を撮影するカメラを備えており、生成部は、カメラにより撮影された被写体の移動に応じてカーソルを移動させるためのカーソル移動指示を生成してもよい。
【発明の効果】
【００１１】
本発明によれば、表示装置に表示されたカーソルを容易に移動させ、利用者の操作性を向上させることができる。
【発明を実施するための最良の形態】
【００１２】
（携帯電話機の外観）
本実施形態について図面を参照しながら説明する。図１は、本実施形態における携帯電話機１００の外観を示す図である。図２は、操作装置４００と表示装置５００とが分離された状態を示す図である。図３は、操作装置４００の裏面を示す図である。
【００１３】
図１に示すように、携帯電話機１００は、携帯電話機１００と他の携帯電話機（図示せず）との間で情報の送受信を行うものであり、回動部２００と、着脱ボタン３００と、操作装置４００と、表示装置５００とを備えている。
【００１４】
回動部２００は、操作装置４００と表示装置５００とが回動する際の軸となる部材である。ここで、操作装置４００と表示装置５００とは回動部２００を軸として回動される。これにより、携帯電話機１００は、操作装置４００の一面４００Ａと表示装置５００の一面５００Ａとが近接して折り畳まれた状態となる折畳状態と、操作装置４００の一面４００Ａと表示装置５００の一面５００Ａとが離れて展開された状態となる展開状態とのいずれかの状態となる。なお、携帯電話機１００は、折畳状態と展開状態とのいずれかの状態となるものに限定されるものではない。
【００１５】
着脱ボタン３００は、操作装置４００と表示装置５００とを着脱可能にする操作を受け付けるものである。図２に示すように、本実施形態では、着脱ボタン３００が押圧されることにより、操作装置４００と表示装置５００とが分離される。
【００１６】
操作装置４００は、所定情報の入力操作を受け付けるキー４０１と、携帯電話機１００における各種機能を選択するための入力操作を受け付けるキー４０２とを操作装置４００の一面４００Ａに備えている。所定情報には、文字、記号、数字又は画像等が含まれる。
【００１７】
例えば、利用者は、電子メールを送信する際には、キー４０２を操作することによりメールを送信するための画面を表示させて、キー４０１を操作することにより必要な所定情報を入力し、最後にキー４０２を操作することにより入力した所定情報を電子メールとして送信させる。
【００１８】
また、操作装置４００は、操作装置４００の一面４００Ａと向い合う面の外面（以下では裏面４００Ｂと称する）に被写体を撮影するカメラ４１０を備えている。
【００１９】
表示装置５００は、所定情報のいずれかを指定するためのカーソルなどを表示するものである。具体的には、表示装置５００は、操作装置４００からの指示に応じて所定情報を表示させたり、カーソルを移動させたりする。
【００２０】
次に、本実施形態における操作装置４００及び表示装置５００の内部構成を説明する。図４は、本実施形態における操作装置４００の内部構成を示す図である。
【００２１】
図４に示すように、操作装置４００は、キー４０１，４０２と、操作制御部４０４と、ＲＡＭ４０５と、ＲＯＭ４０６と、通信部４０７と、音声出力部４０８と、集音部４０９と、カメラ４１０と、バッテリー４１１とを備えている。これらの各部は、ＢＵＳ４１２により接続されている。
【００２２】
キー４０１，４０２は、上述の通り所定情報などの入力操作を受け付けるものである。操作制御部４０４は、操作装置４００の全体を制御するものである。本実施形態における操作制御部４０４は、操作装置４００の移動に応じてカーソルを移動させるためのカーソル移動指示を生成する生成部を構成している。例えば、操作制御部４０４は、４１０カメラにより撮影された被写体の移動に応じてカーソルを移動させるためのカーソル移動指示を生成する。
【００２３】
ＲＡＭ４０５は、操作制御部４０４により処理されるデータを一時的に格納するものである。ＲＯＭ４０６は、操作装置４００を動作させるためのプログラムなどを格納するものである。
【００２４】
通信部４０７は、操作装置４００と表示装置５００との間で情報を送受信するものである。本実施形態における通信部４０７は、操作装置４００と表示装置５００との間で無線により上記カーソル移動指示などを送受信する。なお、通信部４０７は、赤外線通信又は近接無線通信などにより上記カーソル移動指示などを送信することができる。
【００２５】
音声出力部４０８は、他の携帯電話機（図示せず）の利用者の音声などを出力するものである。集音部４０９は、携帯電話機１００の利用者の音声を取得するものである。なお、通信部４０７は送信部を構成し、音声出力部４０８は出力部を構成し、集音部４０９は取得部を構成している。
【００２６】
カメラ４１０は、被写体を撮影するものであり、ＣＣＤカメラなどが挙げられる。バッテリー４１１は、操作装置４００を動作させるための電源を供給するものである。
【００２７】
次に、表示装置５００の内部構成について説明する。図４に示すように、表示装置５００は、通信部５０１と、表示制御部５０２と、ＲＡＭ５０３と、ＲＯＭ５０４と、表示部５０５と、バッテリー５０６とを備えている。
【００２８】
通信部５０１は、操作装置４００と表示装置５００との間で情報を送受信するものである。具体的には、通信部５０１は、操作装置４００により送信された上記カーソル移動指示などを受信する。
【００２９】
表示制御部５０２は、表示装置５００の全体を制御するものである。本実施形態における表示制御部５０２は、通信部５０１により受信された上記カーソル移動指示に応じてカーソルを移動させる。
【００３０】
ＲＡＭ５０３は、表示制御部５０２により処理されるデータを一時的に格納するものである。ＲＯＭ５０４は、表示装置５００を動作させるためのプログラムなどを格納するものである。表示部５０５は、所定情報又はカーソルなどを表示するものである。バッテリー５０６は、表示装置５００に電源を供給するものである。
【００３１】
次に、本実施形態における操作装置４００及び表示装置５００の動作について説明する。図５は、本実施形態における操作装置４００及び表示装置５００の動作を示す図である。なお、図５では、操作装置４００が移動されることに伴ない、表示装置におけるカーソルが移動されるまでの処理についてのみ説明する。それ以外の処理については従来の処理と同様であるため、詳細な説明は省略する。
【００３２】
Ｓ１０１において、操作装置４００は、操作装置４００の裏面４００Ｂが台（机など）に面する状態で操作装置４００が台に置かれているか否か判定する。
【００３３】
ここで、図６は、利用者が操作装置４００を台６００に載置している様子を示す図である。図６に示すように、利用者は、操作装置４００の裏面４００Ｂ（カメラ４１０が備えられている面）を台６００と面する状態で載置する。
【００３４】
この場合には、操作装置４００は、裏面４００Ｂに対して直角方向に光信号（例えば、赤外線）を出射し、台６００により反射された当該反射光を受光する。これにより、操作装置４００は、操作装置４００の裏面４００Ｂが台６００に面する状態で操作装置４００が台６００に置かれていると判定する。
【００３５】
また、操作装置４００は、この判定がＹＥＳである場合にはＳ１０２の処理に移り、ＮＯである場合には本処理を繰り返す。
【００３６】
Ｓ１０２において、操作装置４００は、操作装置４００が移動されたか否か判定する。例えば、操作装置４００は、カメラ４１０により撮影された画像が変化したか否か判定することにより、操作装置４００が移動されたか否か判定することができる。また、操作装置４００は、この判定がＹＥＳである場合にはＳ１０３の処理に移り、ＮＯである場合にはＳ１０１の処理に戻る。
【００３７】
Ｓ１０３において、操作装置４００は、操作装置４００の移動距離を算出する。例えば、操作装置４００は、カメラ４１０により撮影された特定画像が静止している時点から、特定画像が移動して再び静止した時点の時間とその特定画像の移動速度（例えば、平均の移動速度など）を算出して、操作装置４００の移動距離を算出する。
【００３８】
Ｓ１０４において、操作装置４００は、操作装置４００の移動距離に応じて、表示装置５００に表示されたカーソルを移動させるためのカーソル移動指示を生成する。
【００３９】
Ｓ１０５において、操作装置４００は、生成したカーソル移動指示を表示装置５００に送信する。
【００４０】
Ｓ１０６において、操作装置４００は、操作装置４００により送信されたカーソル移動指示を受信する。
【００４１】
Ｓ１０７において、操作装置４００は、受信したカーソル移動指示に基づいてカーソルを移動させる。これにより、図６に示すように、操作装置４００が台６００上で移動されることにより、表示装置５００に表示されているカーソル５１０は、その操作装置４００の移動方向に沿って移動することとなる。
【００４２】
（作用及び効果）
このような本発明によれば、操作装置４００と表示装置５００とが分離された状態で、操作装置４００が移動されることに伴ない、表示装置５００に表示されたカーソルも移動する。このため、利用者は、操作装置４００を介して表示装置５００に表示されたカーソルを容易に移動させることができ、特定のキーを押すことによりカーソルを移動させる煩わしさを解消することができる。
【００４３】
また、操作装置４００と表示装置５００との間では無線により上記カーソル移動指示などの情報が送受信される。これにより、操作装置４００と表示装置５００との間にはケーブルなどの障害物が存在しないため、利用者は、操作装置４００を移動させ易く、表示装置５００に表示されたカーソルを容易に移動させることができる。
【００４４】
さらに、操作装置４００は、カメラ４１０により撮影された被写体の移動に応じてカーソルを移動させるためのカーソル移動指示を生成している。このため、操作装置４００は、当該カーソル移動指示を生成するための新たな回路が備えられていなくても、既存のカメラ４１０を含む周辺回路によりカーソル移動指示を生成することができ、携帯電話機１００の生産コストを向上させないようにすることができる。
【００４５】
ここで、図７は、利用者が操作装置４００を耳に当てながら、表示装置５００に表示された人物と会話している様子を示す図である。操作装置４００には、上述した通り、利用者の音声を取得する機能と他の携帯電話機の利用者の音声を出力する機能とからなる通話機能を備えている。
【００４６】
したがって、利用者は、操作装置４００を一方の手で持ちながら耳に当てて、表示装置５００を他方の手で持つことにより、表示装置５００に表示された相手側の利用者を見ながら、その相手側の利用者と会話を楽しむことができる。
【００４７】
なお、本発明は上記実施形態に限定されるものではなく、以下に示す変更を加えることができる。すなわち、上記実施形態では、操作装置４００と表示装置５００との間では情報が無線により送受信されているが、本変更例では、操作装置４００と表示装置５００との間では情報が有線により送受信されてもよい。
【００４８】
図８は、本変更例の構成を示す図である。図８に示すように、操作装置４００と表示装置５００とを接続するケーブル８００が備えられてもよい。
【００４９】
なお、本発明は上記実施形態に限定されるものではなく、以下に示す変更を加えることができる。すなわち、操作装置４００のバッテリー４１１と表示装置５００のバッテリー５０６とのうちのいずれか一方が主バッテリーとし、他方が補助バッテリーとして用いられてもよい。本変更例では、操作装置４００のバッテリー４１１が主バッテリー（以下では主バッテリー４１１と称する）とし、表示装置５００のバッテリー５０６が補助バッテリー（以下では補助バッテリー５０６と称する）とする。
【００５０】
本変更例では、操作装置４００と表示装置５００とが結合された状態では、主バッテリー４１１は、補助バッテリー５０６に対して充電を行うとともに、操作装置４００と表示装置５００とは主バッテリー４１１を用いて処理を実行する。また、操作装置４００と表示装置５００とが結合されていない状態では、操作装置４００は主バッテリー４１１を用いて処理を実行し、表示装置５００は補助バッテリー５０６を用いて処理を実行する。以下では、これらの動作について詳述する。
【００５１】
図９は、主バッテリー４１１と補助バッテリー５０６とのいずれかが用いられるまでの処理を示す図である。図９に示すように、Ｓ２０１において、操作装置４００及び表示装置５００は、操作装置４００と表示装置５００とが結合されているか否か判定する。また、操作装置４００及び表示装置５００は、この判定がＹＥＳである場合にはＳ２０３の処理に移り、ＮＯである場合にはＳ２０２の処理に移る。
【００５２】
Ｓ２０２において、操作装置４００及び表示装置５００は、それぞれに備えられているバッテリーを用いて処理を実行する。すなわち、操作装置４００は、操作装置４００に備えられている主バッテリー４１１を用いて処理を実行する。また、表示装置５００は、表示装置５００に備えられている補助バッテリー５０６を用いて処理を実行する。
【００５３】
Ｓ２０３において、操作装置４００及び表示装置５００は、操作装置４００に備えられている主バッテリー４１１を用いて処理を実行する。すなわち、操作装置４００は、操作装置４００に備えられている主バッテリー４１１を用いて処理を実行する。また、表示装置５００は、表示装置５００に備えられている補助バッテリー５０６を用いずに、操作装置４００に備えられている主バッテリー４１１を用いて処理を実行する。
【００５４】
Ｓ２０３において、操作装置４００の主バッテリー４１１は、表示装置５００の補助バッテリー５０６に対して充電を行う。なお、操作装置４００は、ケーブルによりコンセントと接続されることにより、主バッテリー４１１に充電を行うことができる。
【００５５】
本変更例によれば、操作装置４００及び表示装置５００が結合されていない場合には、操作装置４００及び表示装置５００はそれぞれに備えられているバッテリーを用いて処理を実行することができる。
【００５６】
また、操作装置４００及び表示装置５００が結合されている場合には、操作装置４００及び表示装置５００は主バッテリー４１１のみを用いて処理を実行することができるとともに、主バッテリー４１１は補助バッテリー５０６に対して充電を行うことができる。
【００５７】
以上、本発明の一例を説明したが、具体例を例示したに過ぎず、特に本発明を限定するものではなく、各部の具体的構成等は、適宜設計変更可能である。また、実施形態の構成及び各変更例の構成もそれぞれ組み合わせることが可能である。また、実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００５８】
【図１】本実施形態における携帯電話機を示す外観図である。
【図２】本実施形態における操作装置と表示装置とが分離されている様子を示す図である。
【図３】本実施形態における操作装置の裏面を示す図である。
【図４】本実施形態における操作装置と表示装置との内部構造を示す図である。
【図５】本実施形態における操作装置と表示装置との動作を示す図である。
【図６】本実施形態における操作装置と表示装置とが使用されている様子を示す図である（その１）。
【図７】本実施形態における操作装置と表示装置とが使用されている様子を示す図である（その２）。
【図８】本変更例における操作装置と表示装置とが有線により接続されている様子を示す図である。
【図９】本変更例における操作装置と表示装置との動作を示す図である。
【図１０】従来のキーの配列を示す図である。
【符号の説明】
【００５９】
１００…携帯電話機、２００…回動部、３００…着脱ボタン、４００…操作装置、４０１，４０２…キー、４０４…操作制御部、４０５…ＲＡＭ、４０６…ＲＯＭ、４０７…通信部、４０８…音声出力部、４０９…集音部、４１０…カメラ、４１１…バッテリー、４１２…ＢＵＳ、５００…表示装置、５０１…通信部、５０２…表示制御部、５０３…ＲＡＭ、５０４…ＲＯＭ、５０５…表示部、５０６…バッテリー、５１０…カーソル、６００…台、８００…ケーブル
【図１】
2006277358.tif 000003
【図２】
2006277358.tif 000004
【図３】
2006277358.tif 000005
【図４】
2006277358.tif 000006
【図５】
2006277358.tif 000007
【図６】
2006277358.tif 000008
【図７】
2006277358.tif 000009
【図８】
2006277358.tif 000010
【図９】
2006277358.tif 000011
【図１０】
2006277358.tif 000012